(57)【要約】【課題】簡易な構成で１／２バイアス駆動法により液晶パネルを表示制御する。【解決手段】ＣＰＵ２２の一対の出力端子ｃ１１，ｃ１２の間に直列接続された２つの抵抗Ｒ１１，Ｒ１２を設け、これら２つの抵抗Ｒ１１，Ｒ１２の接続点をコモン電極端子Ｃ１に接続する。ＣＰＵ２２は、一対の出力端子の両方をハイレベルとすることによりＣＯＭ１信号をハイレベルとし、一対の出力端子の一方をハイレベルとして他方をロウレベルとすることによりＣＯＭ１信号をハイレベルとロウレベルの間のレベルとし、一対の出力端子の両方をロウレベルとすることによりＣＯＭ１信号をロウレベルとする。【選択図】図１
2006098821.tif 000002
【特許請求の範囲】
【請求項１】
液晶パネルを１／２バイアス駆動法により表示制御する液晶表示制御装置であって、
少なくとも一対の出力端子を備え、各出力端子の出力を制御することにより前記液晶パネルの表示を制御する制御回路と、
前記一対の出力端子の間に直列接続され、直列接続の接続点が前記液晶パネルのコモン電極に接続される２つの抵抗と、を有し、
前記制御回路は、
前記一対の出力端子の両方をハイレベルとすることにより、前記コモン電極に供給されるコモン信号をハイレベルとし、
前記一対の出力端子の一方をハイレベルとして他方をロウレベルとすることにより、前記コモン信号をハイレベルとロウレベルの間のレベルとし、
前記一対の出力端子の両方をロウレベルとすることにより、前記コモン信号をロウレベルとする、
ことを特徴とする液晶表示制御装置。
【請求項２】
コモン電極を備える液晶パネルと、当該液晶パネルを１／２バイアス駆動法により表示制御する液晶表示制御装置とを有する液晶表示装置であって、
前記液晶表示制御装置は、
少なくとも一対の出力端子を備え、各出力端子の出力を制御することにより前記液晶パネルの表示を制御する制御回路と、
前記一対の出力端子の間に直列接続され、直列接続の接続点が前記液晶パネルのコモン電極に接続される２つの抵抗と、を有し、
前記制御回路は、
前記一対の出力端子の両方をハイレベルとすることにより、前記コモン電極に供給されるコモン信号をハイレベルとし、
前記一対の出力端子の一方をハイレベルとして他方をロウレベルとすることにより、前記コモン信号をハイレベルとロウレベルの間のレベルとし、
前記一対の出力端子の両方をロウレベルとすることにより、前記コモン信号をロウレベルとする、
ことを特徴とする液晶表示装置。
【発明の詳細な説明】
【技術分野】
【０００１】
本発明は、液晶パネルの表示を制御する液晶表示制御装置、および、この液晶表示制御装置を用いる液晶表示装置に関する。
【背景技術】
【０００２】
液晶パネルの駆動方式として、スタティック駆動方式とダイナミック駆動方式（時分割駆動方式）とが知られている。スタティック駆動方式は、コントラストが高いという利点がある反面、セグメントの数が多くなると、駆動回路の数が多くなるうえ、電極端子の接続が煩雑となる欠点がある。そこで、比較的多くの情報を表示する液晶表示装置では、ダイナミック駆動方式が採用されている。
【０００３】
このダイナミック駆動方式では、各セグメントに対応するセグメント電極を複数のグループにグループ化し、各グループに対応してそれぞれコモン電極が設けられている。そして、このコモン電極をそれぞれ対応するコモン電極端子に接続するとともに、各グループから選択したセグメント電極を同一のセグメント電極端子に接続することにより全体の電極端子数を減らしている。
【０００４】
そして、コモン電極端子を順次走査し、それぞれのコモン電極端子に駆動信号を与えるとともに、それぞれのセグメント電極端子にも駆動信号を与えている。このとき、コモン電極端子に与えられた駆動信号とセグメント電極端子に与えられた駆動信号との電位差が所定の閾値を越えると、セグメントが表示されるようになっている。
【０００５】
上記のダイナミック駆動方式としては、１／２バイアス駆動法、１／３バイアス駆動法、１／４バイアス駆動法によるもの等が知られている。
【０００６】
図３は、１／２バイアス駆動法による従来の液晶表示装置５０の構成を示すブロック図である。図３において、液晶表示装置５０は、液晶パネル５１、電源回路５２、ＣＰＵ（中央処理装置）５３、および液晶駆動回路５４を備えている。
【０００７】
液晶パネル５１は、周知の液晶表示器であり、ここでは３個のコモン電極端子Ｃ１〜Ｃ３およびｎ個（ｎは２以上の整数）のセグメント電極端子Ｓ１〜Ｓｎを備えている。電源回路５２は、ＣＰＵ５３および液晶駆動回路５４に電源電圧Ｖｄｄを供給する回路である。ＣＰＵ５３は、各種の処理を実行することにより液晶表示用のデータを制御し、このデータに応じた表示制御信号を生成する。この表示制御信号は、シリアルまたはパラレル通信により液晶駆動回路５４に送出される。液晶駆動回路５４は、ＣＰＵ５３から表示制御信号の入力を受け、入力された表示制御信号をコモン信号（ＣＯＭ１信号〜ＣＯＭ３信号）およびセグメント信号（ＳＥＧ１信号〜ＳＥＧｎ信号）に変換して出力する液晶ドライバＩＣである。液晶駆動回路５４から出力されるＣＯＭ１信号〜ＣＯＭ３信号は、それぞれコモン電極端子Ｃ１〜Ｃ３に供給され、ＳＥＧ１信号〜ＳＥＧｎ信号は、それぞれセグメント電極端子Ｓ１〜Ｓｎに供給される。これにより液晶パネル５１に文字や図形等が表示される。
【０００８】
図４に、液晶駆動回路５４のコモン信号の出力回路を示す。図４に示されるとおり、コモン信号の出力回路は、３ステートバッファ５４ａを含んで構成される。この３ステートバッファ５４ａの出力端は、液晶パネル５１の対応するコモン電極端子に接続される。３ステートバッファ５４ａの出力端とコモン電極端子との間には、電源（Ｖｄｄ）とグランド（０Ｖ）との間に直列接続された２つの抵抗Ｒ１，Ｒ２の接続点が接続される。この構成において、３ステートバッファ５４ａの出力端は、ハイレベル（Ｖｄｄ）、ロウレベル（０Ｖ）、およびオープンの３種類の状態の何れかに制御される。これにより、コモン信号の電圧レベルは、ハイレベル（Ｖｄｄ）、ロウレベル（０Ｖ）、ハイレベルとロウレベルの中間レベル（１／２Ｖｄｄ）の３種類となる。なお、ＣＰＵ５３の出力信号の電圧レベルは、ハイレベル（Ｖｄｄ）およびロウレベル（０Ｖ）の２種類である。
【０００９】
図５に、１／２バイアス、１／３デューティ駆動におけるコモン信号およびセグメント信号の出力波形を示す。この図５には、ＣＯＭ１信号〜ＣＯＭ３信号、コモン電極端子Ｃ１に対するセグメントが点灯する場合のセグメント信号、コモン電極端子Ｃ２に対するセグメントが点灯する場合のセグメント信号、コモン電極端子Ｃ３に対するセグメントが点灯する場合のセグメント信号が示されている。図５において、コモン信号は、Ｖｄｄ，１／２Ｖｄｄ，０Ｖの３種類の電圧レベルをとり、セグメント信号は、Ｖｄｄ，０Ｖの２種類の電圧レベルをとる。そして、コモン信号とセグメント信号との電位差の絶対値がＶｄｄである場合に、対応するセグメントが点灯する。
【００１０】
なお、特許文献１には、液晶表示器を備えた液晶表示回路をＣＰＵが制御する構成が開示されている。
【００１１】
【特許文献１】特開平９−２７０２０号公報
【発明の開示】
【発明が解決しようとする課題】
【００１２】
１／２バイアス駆動法により液晶パネルを表示制御する場合において、上記の図３，４に示される構成では、コモン信号を出力するために３ステートバッファを内蔵した液晶駆動回路が必要となり、コストが高くなってしまう。
【００１３】
そこで、本発明は、簡易な構成で１／２バイアス駆動法により液晶パネルを表示制御することができる液晶表示制御装置を提供する。
【課題を解決するための手段】
【００１４】
本発明に係る液晶表示制御装置は、液晶パネルを１／２バイアス駆動法により表示制御する液晶表示制御装置であって、少なくとも一対の出力端子を備え、各出力端子の出力を制御することにより前記液晶パネルの表示を制御する制御回路と、前記一対の出力端子の間に直列接続され、直列接続の接続点が前記液晶パネルのコモン電極に接続される２つの抵抗と、を有し、前記制御回路は、前記一対の出力端子の両方をハイレベルとすることにより、前記コモン電極に供給されるコモン信号をハイレベルとし、前記一対の出力端子の一方をハイレベルとして他方をロウレベルとすることにより、前記コモン信号をハイレベルとロウレベルの間のレベルとし、前記一対の出力端子の両方をロウレベルとすることにより、前記コモン信号をロウレベルとすることを特徴とする。
【００１５】
また、本発明に係る液晶表示装置は、コモン電極を備える液晶パネルと、当該液晶パネルを１／２バイアス駆動法により表示制御する液晶表示制御装置とを有する液晶表示装置であって、前記液晶表示制御装置は、少なくとも一対の出力端子を備え、各出力端子の出力を制御することにより前記液晶パネルの表示を制御する制御回路と、前記一対の出力端子の間に直列接続され、直列接続の接続点が前記液晶パネルのコモン電極に接続される２つの抵抗と、を有し、前記制御回路は、前記一対の出力端子の両方をハイレベルとすることにより、前記コモン電極に供給されるコモン信号をハイレベルとし、前記一対の出力端子の一方をハイレベルとして他方をロウレベルとすることにより、前記コモン信号をハイレベルとロウレベルの間のレベルとし、前記一対の出力端子の両方をロウレベルとすることにより、前記コモン信号をロウレベルとすることを特徴とする。
【発明の効果】
【００１６】
本発明によれば、簡易な構成で１／２バイアス駆動法により液晶パネルを表示制御することができる。
【発明を実施するための最良の形態】
【００１７】
以下、本発明の実施の形態を図面に従って説明する。
【００１８】
図１は、本実施の形態に係る液晶表示装置１の構成を示すブロック図である。図１において、液晶表示装置１は、液晶パネル１０と、この液晶パネル１０を１／２バイアス駆動法により表示制御する液晶表示制御装置２０とを含んで構成されている。液晶表示装置１は、自動車等の車両において、現在時刻や空調情報の表示に好適に用いられる。ただし、液晶表示装置１の用途がこれに限定されないことは言うまでもない。
【００１９】
液晶パネル１０は、２枚の透明電極の間に液晶材料が充填されてなる周知のセグメント方式の液晶表示器である。２枚の透明電極のうち、一方はコモン電極とされ、他方はセグメント電極（例えば、周知の７セグメント電極）とされ、これにより文字や図形の表示が可能となっている。なお、この構造は周知であるので説明は省略する。
【００２０】
図１において、液晶パネル１０のコモン電極端子Ｃ１〜Ｃ３は、表示対象の図形に対応した形状の板状電極が３分割されてなる３個のコモン電極（不図示）に接続されており、セグメント電極端子Ｓ１〜Ｓｎ（ｎは２以上の整数）は、表示対象の図形がｎ組に分割されてなるｎ個のセグメント電極（不図示）に接続されている。
【００２１】
液晶表示制御装置２０は、１／２バイアス、１／３デューティ駆動により液晶パネル１０を駆動制御する。なお、ここでは１／３デューティであるが、１／２デューティあるいは１／Ｎデューティ（Ｎは４以上の整数）であっても構わない。この液晶表示制御装置２０は、電源回路２１、ＣＰＵ（中央処理装置）２２、および複数の抵抗Ｒ１１，Ｒ１２，Ｒ２１，Ｒ２２，Ｒ３１，Ｒ３２を含んで構成されている。
【００２２】
電源回路２１は、ＣＰＵ２２に電源電圧Ｖｄｄを供給する回路である。
【００２３】
ＣＰＵ２２は、液晶パネル１０の表示を制御する制御回路であり、コモン電極端子Ｃ１〜Ｃ３に対応する３対の出力端子（ｃ１１，ｃ１２），（ｃ２１，ｃ２２），（ｃ３１，ｃ３２）、および、セグメント電極端子Ｓ１〜Ｓｎに対応するｎ個の出力端子ｓ１〜ｓｎを備えている。
【００２４】
ＣＰＵ２２の一対の出力端子ｃ１１，ｃ１２の間には、２つの抵抗Ｒ１１，Ｒ１２が直列接続されている。同様に、一対の出力端子ｃ２１，ｃ２２の間には抵抗Ｒ２１，Ｒ２２が直列接続されており、一対の出力端子ｃ３１，ｃ３２の間には抵抗Ｒ３１，Ｒ３２が直列接続されている。そして、抵抗Ｒ１１，Ｒ１２の接続点はコモン電極端子Ｃ１に接続され、抵抗Ｒ２１，Ｒ２２の接続点はコモン電極端子Ｃ２に接続され、抵抗Ｒ３１，Ｒ３２の接続点はコモン電極端子Ｃ３に接続される。
【００２５】
また、ＣＰＵ２２の出力端子ｓ１〜ｓｎは、それぞれ液晶パネル１０の対応するセグメント電極端子Ｓ１〜Ｓｎに接続される。
【００２６】
ＣＰＵ２２は、不図示のＲＡＭをワークエリアとして、不図示のＲＯＭに格納された所定のプログラムを実行することにより、時計機能や空調機能などに関する各種の処理を実行し、現在時刻や空調情報などの液晶パネル１０に表示すべき表示データを設定する。そして、この表示データに対応するパターンでセグメントを点灯させるべく、表示データに基づいて各出力端子の出力信号を制御し、これによりコモン電極端子Ｃ１〜Ｃ３に供給されるコモン信号（ＣＯＭ１信号〜ＣＯＭ３信号）およびセグメント電極端子Ｓ１〜Ｓｎに供給されるセグメント信号（ＳＥＧ１信号〜ＳＥＧｎ信号）を制御する。
【００２７】
本実施の形態では、ＣＰＵ２２は、一対の出力端子ｃ１１，ｃ１２の両方をハイレベル（Ｖｄｄ）とすることにより、ＣＯＭ１信号をハイレベル（Ｖｄｄ）とする。また、一対の出力端子ｃ１１，ｃ１２の一方をハイレベル（Ｖｄｄ）として他方をロウレベル（０Ｖ）とすることにより、ＣＯＭ１信号をハイレベル（Ｖｄｄ）とロウレベル（０Ｖ）の中間のレベル（１／２Ｖｄｄ）とする。また、一対の出力端子ｃ１１，ｃ１２の両方をロウレベル（０Ｖ）とすることにより、ＣＯＭ１信号をロウレベル（０Ｖ）とする。同様に、ＣＰＵ２２は、出力端子ｃ２１，ｃ２２の電圧レベルを制御することによりＣＯＭ２信号を制御し、出力端子ｃ３１，ｃ３２の電圧レベルを制御することによりＣＯＭ３信号を制御する。
【００２８】
また、ＣＰＵ２２は、出力端子ｓ１をハイレベル（Ｖｄｄ）とすることによりＳＥＧ１信号をハイレベル（Ｖｄｄ）とし、ロウレベル（０Ｖ）とすることによりＳＥＧ１信号をロウレベル（０Ｖ）とする。同様に、ＣＰＵ２２は、出力端子ｓ２〜ｓｎの電圧レベルを制御することによりＳＥＧ２信号〜ＳＥＧｎ信号を制御する。
【００２９】
図２に、本実施の形態における、ＣＰＵ２２の出力信号、コモン信号、およびセグメント信号の出力波形を示す。この図２には、ＣＰＵ出力信号（出力端子ｃ１１，ｃ１２の出力信号）、ＣＯＭ１信号〜ＣＯＭ３信号、コモン電極端子Ｃ１に対するセグメントが点灯する場合のセグメント信号、コモン電極端子Ｃ２に対するセグメントが点灯する場合のセグメント信号、コモン電極端子Ｃ３に対するセグメントが点灯する場合のセグメント信号が示されている。
【００３０】
図２に示されるとおり、本実施の形態では、Ｖｄｄおよび０Ｖの２種類の電圧レベルを有する２つのＣＰＵ出力信号により、Ｖｄｄ、１／２Ｖｄｄ、および０Ｖの３種類の電圧レベルを有するコモン信号が実現されている。また、図２において、セグメント信号は、Ｖｄｄ，０Ｖの２種類の電圧レベルをとり、コモン信号とセグメント信号との電位差の絶対値がＶｄｄとなる場合に、対応するセグメントが点灯する。
【００３１】
以上のとおり、本実施の形態では、ＣＰＵ２２の一対の出力端子の間に直列接続された２つの抵抗を設け、これら２つの抵抗の接続点をコモン電極端子に接続する。そして、ＣＰＵ２２は、一対の出力端子の両方をハイレベルとすることによりコモン信号をハイレベルとし、一対の出力端子の一方をハイレベルとして他方をロウレベルとすることによりコモン信号をハイレベルとロウレベルの間のレベルとし、一対の出力端子の両方をロウレベルとすることによりコモン信号をロウレベルとする。すなわち、２種類のレベルを有する２つのＣＰＵ出力により、３種類のレベルを有するコモン信号を生成して出力する。このため、本実施の形態によれば、従来の３ステートバッファを内蔵する液晶駆動回路（液晶ドライバＩＣ）を不要とすることができ、簡易な構成で１／２バイアス駆動法により液晶パネルを表示制御することができる。この結果、液晶表示制御回路２０または液晶表示装置１の低コスト化や省スペース化を図ることができる。
【００３２】
以上、本発明の実施の形態について説明したが、本発明が上記の実施の形態に限定されないことは言うまでもない。例えば、液晶パネル１０を表示制御する制御回路は、ＣＰＵ２２の代わりに、ハードウェア回路により構成されてもよい。また、液晶表示制御装置２０は、上記の実施の形態では、各種の処理を実行して表示データを設定する機能、表示データに基づいてコモン信号を制御する機能、および表示データに基づいてセグメント信号を制御する機能を備えているが、少なくともコモン信号を制御する機能を備えていればよい。
【図面の簡単な説明】
【００３３】
【図１】実施の形態に係る液晶表示装置の構成を示すブロック図である。
【図２】実施の形態における、ＣＰＵの出力信号、コモン信号、およびセグメント信号の出力波形を示す図である。
【図３】１／２バイアス駆動法による従来の液晶表示装置の構成を示すブロック図である。
【図４】液晶駆動回路のコモン信号の出力回路を示す図である。
【図５】１／２バイアス、１／３デューティ駆動におけるコモン信号およびセグメント信号の出力波形を示す図である。
【符号の説明】
【００３４】
１  液晶表示装置、１０  液晶パネル、２０  液晶表示制御装置、２１  電源回路、２２  ＣＰＵ、Ｃ１〜Ｃ３  コモン電極端子、Ｓ１〜Ｓｎ  セグメント電極端子、ｃ１１，ｃ１２，ｃ２１，ｃ２２，ｃ３１，ｃ３２，ｓ１〜ｓｎ  出力端子、Ｒ１１，Ｒ１２，Ｒ２１，Ｒ２２，Ｒ３１，Ｒ３２  抵抗。
【図１】
2006098821.tif 000003
【図２】
2006098821.tif 000004
【図３】
2006098821.tif 000005
【図４】
2006098821.tif 000006
【図５】
2006098821.tif 000007